(57)【要約】【課題】調湿装置と同一室内に設置された空調装置の室内熱交換器の冷媒の蒸発温度制御方法。【解決手段】圧縮機、室外熱交換器、室外膨張弁及び室内熱交換器が順に接続され、冷媒が循環するよう構成された冷媒回路と、室内熱交換器の冷媒蒸発温度が設定温度になるように圧縮機の容量を制御する空調コントローラとを備え、室内空気を調湿する調湿装置（5）と同一の室内（2）の空気調和を行う空気調和装置を対象としている。空調コントローラは、調湿装置（5）の発停状態を認知する認知部と、認知部による調湿装置（5）の発停状態に基づいて室内熱交換器の冷媒の蒸発温度の設定値を調節する蒸発温度調節部とを備えている。【選択図】図１
2010085032.tif 000002
【特許請求の範囲】
【請求項１】
圧縮機（14）、室外熱交換器（16）、膨張機構（18）及び室内熱交換器（15）が順に接続され、冷媒が循環するよう構成された冷媒回路（13）と、該室内熱交換器（15）の冷媒蒸発温度が設定温度になるように上記圧縮機（14）の容量を制御する制御手段（40）とを備え、
室内空気を調湿する調湿装置（5）と同一の室内（2）の空気調和を行う空気調和装置であって、
上記制御手段（40）は、上記調湿装置（5）の発停状態を認知する認知手段（42）と、
該認知手段（42）による調湿装置（5）の発停状態に基づいて上記室内熱交換器（15）の冷媒の蒸発温度を調節する蒸発温度調節手段（43）とを備えている
ことを特徴とする空気調和装置。
【請求項２】
請求項１において、
上記蒸発温度調節手段（43）は、上記室内（2）への空気調和に必要な空調能力範囲内で上記冷媒の蒸発温度の調節を行うよう構成されている
ことを特徴とする空気調和装置。
【請求項３】
請求項１又は２において、
上記蒸発温度調節手段（43）は、上記認知手段（42）が上記調湿装置（5）が調湿運転中であると認知すると、上記室内熱交換器（15）の蒸発温度の設定値を高くするよう構成されている
ことを特徴とする空気調和装置。
【発明の詳細な説明】
【技術分野】
【０００１】
本発明は、空気調和装置に関し、特に、室内熱交換器の冷媒の蒸発温度制御に係るものである。
【背景技術】
【０００２】
従来から、冷媒の蒸発温度が目標値（設定値）になるように圧縮機の容量を制御する空気調和装置として、例えば特許文献１に開示されているものがある。この特許文献１の空気調和装置は、圧縮機と凝縮器と膨張弁と蒸発器とを備えている。この空気調和装置では、基準値となる冷媒蒸発温度が圧縮機の吸入圧力に換算され、その圧力値が一定の範囲内になるように圧縮機の容量が制御される。すなわち、冷媒の蒸発温度がその目標値になるように圧縮機の容量制御が行われる。
【０００３】
また、従来より、吸着剤の水分の吸着又は脱離により室内の湿度調節を行う調湿装置が知られている。特許文献２には、取り込んだ空気を湿度調節して室内へ供給する調湿装置が開示されている。この調湿装置は、空気を吸着剤と接触させるための吸着素子を２つ備え、第１の吸着素子に空気中の水分を吸着させると同時に第２の吸着素子を高温の空気で再生する動作と、第２の吸着素子に空気中の水分を吸着させると同時に第１の吸着素子を高温の空気で再生する動作とを交互に繰り返す。そして、吸着素子で除湿された空気および吸着素子から脱離した水分を付与された空気のうちの一方を室内へ供給し、他方を室外へ排出している。
【特許文献１】特開２００８−１９０７５９号公報
【特許文献２】特開２００４−２９４０４８号公報
【発明の開示】
【発明が解決しようとする課題】
【０００４】
ところで、上述した従来の空気調和装置及び調湿装置の両方を、同一の室内に設置した場合、上記空気調和装置は室内の空調動作を行う一方で、調湿装置は室内空気の調湿動作を行っていた。つまり、従来の空気調和装置及び調湿装置は、それぞれが独自に最適運転を行うよう構成されているため、該調湿装置によって室内空気の除湿が行われていても、該空気調和装置は独自に室内空気の除湿を行うよう運転制御されていた。これにより、上記空気調和装置は、調湿装置で室内空気を除湿しているのにもかかわらず、該室内熱交換器の冷媒の蒸発温度を室内空気の除湿の確保、及び室内空気温度の調節の両方を適切に行い得る蒸発温度条件で運転制御する必要があるため、室内熱交換器の冷媒の蒸発温度の設定値が低く設定されてしまい、その結果、空気調和装置の運転効率を著しく低下させているという問題があった。
【０００５】
本発明は、斯かる点に鑑みてなされたものであり、室内空気の調湿性能を確保すると共に、空気調和装置の運転効率を高めることを目的とする。
【課題を解決するための手段】
【０００６】
本発明は、空気調和装置が、同一室内（2）に設置された調湿装置（5）の発停の認知に基づいて該空気調和装置の有する室内熱交換器（15）の冷媒の蒸発温度を調節するようにしたものである。
【０００７】
第１の発明は、圧縮機（14）、室外熱交換器（16）、膨張機構（18）及び室内熱交換器（15）が順に接続され、冷媒が循環するよう構成された冷媒回路（13）と、該室内熱交換器（15）の冷媒蒸発温度が設定温度になるように上記圧縮機（14）の容量を制御する制御手段（40）とを備え、室内空気を調湿する調湿装置（5）と同一の室内（2）の空気調和を行う空気調和装置であって、上記制御手段（40）は、上記調湿装置（5）の発停状態を認知する認知手段（42）と、該認知手段（42）による調湿装置（5）の発停状態に基づいて上記室内熱交換器（15）の冷媒の蒸発温度を調節する蒸発温度調節手段（43）とを備えている。
【０００８】
上記第１の発明では、調湿装置（5）が室内空気の調湿動作を行う一方、空気調和装置が室内の空気調和を行う。そして、認知手段（42）は、空気調和装置と同一の室内（2）に設置された調湿装置（5）の発停状態を認知する。蒸発温度調節手段（43）は、上記認知手段（42）による調湿装置（5）の発停状態の認知に基づいて室内熱交換器（15）の冷媒蒸発温度を調節し、該調節された冷媒蒸発温度になるよう圧縮機（14）の容量を制御する。
【０００９】
第２の発明は、上記第１の発明において、上記蒸発温度調節手段（43）は、上記室内（2）への空気調和に必要な空調能力範囲内で上記冷媒の蒸発温度の調節を行うよう構成されている。
【００１０】
上記第２の発明では、蒸発温度調節手段（43）は、上記認知手段（42）による調湿装置（5）の発停状態の認知に基づいて室内熱交換器（15）の冷媒蒸発温度を調節する。このとき、蒸発温度調節手段（43）は、冷媒蒸発温度の調節を、室内（2）への空気調和に必要な空調能力範囲内で行う。そして、制御手段（40）は、調節された冷媒蒸発温度になるよう圧縮機（14）の容量を制御する。
【００１１】
第３の発明は、上記第１又は第２の発明において、上記蒸発温度調節手段（43）は、上記認知手段（42）が上記調湿装置（5）が調湿運転中であると認知すると、上記室内熱交換器（15）の冷媒蒸発温度の設定値を高くするよう構成されている。
【００１２】
上記第３の発明では、認知手段（42）が、上記調湿装置（5）が除湿運転状態であることを認知すると、蒸発温度調節手段（43）は、圧縮機（14）の容量を低下させて、室内熱交換器（15）の冷媒の蒸発温度を高くする。室内熱交換器（15）の冷媒の蒸発温度が高くなると、室内空気が空気調和装置で除湿されにくくなる。つまり、調湿装置（5）では室内空気の除湿を行いつつ、空気調和装置では室内空気の空気調和を行う。
【発明の効果】
【００１３】
上記第１の発明によれば、調湿装置（5）の発停状態を認知する認知手段（42）を設けたため、空気調和装置が、調湿装置（5）の調湿運転（調湿動作）を認知することができる。また、上記調湿装置（5）の調湿運転の認知に基づいて室内熱交換器（15）の冷媒の蒸発温度を制御するようにしたため、調湿装置（5）による調湿動作に応じた冷媒の蒸発温度で空気調和装置を運転することができる。これにより、室内熱交換器（15）の冷媒の蒸発温度の設定範囲を大きくできるため、該蒸発温度を空気調和装置の運転効率が向上する温度に設定することができる。この結果、室内空気は、調湿装置（5）で適切に調湿されると共に、空気調和装置の運転効率を高めることができる。
【００１４】
上記第２の発明によれば、冷媒蒸発温度の調節を、室内（2）への空気調和に必要な空調能力範囲内で行うようにしたため、室内（2）への空気調和に必要な空調能力を確保しつつ、冷媒蒸発温度の調節を行うことができる。これにより、冷媒蒸発温度の調節に伴って室内（2）への空気調和に係る空調能力が不足するのを確実に防止することができる。この結果、室内空気は、調湿装置（5）で適切に調湿されると共に、空気調和装置によって室内（2）の空気調和を確実に行うことができる。
【００１５】
上記第３の発明では、調湿装置（5）が除湿運転状態であると認知されると、該認知に基づいて蒸発温度調節手段（43）が室内熱交換器（15）の冷媒の蒸発温度の設定値を高くするようにした。このため、調湿装置（5）の室内空気の除湿能力分だけ空気調和装置による該室内空気の除湿能力を下げることができる。これにより、室内熱交換器（15）の冷媒の蒸発温度の設定値を高くすることができる。この結果、室内空気は、調湿装置（5）で適切に除湿されると共に、空気調和装置の運転効率を高めることができる。
【発明を実施するための最良の形態】
【００１６】
以下、本発明の実施形態を図面に基づいて詳細に説明する。
【００１７】
図１〜図３に示すように、本実施形態に係る空気調和装置（10）は、調湿装置（5）の調湿対象となる室内（2）の空気調和を行うよう構成されている。
【００１８】
まず、室内（2）に設置されている本発明に係る調湿装置を構成する調湿装置（5）について説明する。
【００１９】
上記調湿装置（5）は、冷媒が循環して冷凍サイクルが行われる冷媒回路を有している。冷媒回路には、圧縮機と、第１吸着熱交換器と、第２吸着熱交換器と、膨張弁と、四路切換弁とが接続されている。圧縮機は、ケーシング内の所定の収容室に設けられている。また、第１吸着熱交換器と、第２吸着熱交換器とは、ケーシング内の第１吸着熱交換器室と、第２吸着熱交換器室とにそれぞれ設けられている。この冷媒回路では、四路切換弁の設定に応じて冷媒の循環方向が可逆に切り換えられる。具体的に、冷媒回路では、四路切換弁が所定時間おきに切り換わることで、第１吸着熱交換器が凝縮器として第２吸着熱交換器が蒸発器としてそれぞれ機能する動作と、第１吸着熱交換器が蒸発器として第２吸着熱交換器が凝縮器としてそれぞれ機能する動作とが交互に行われる。蒸発器となる吸着熱交換器では、空気中の水分が吸着剤に吸着される。凝縮器となる吸着熱交換器では、吸着剤から水分が脱離して空気に付与される。このように、各吸着熱交換器では、四路切換弁の切換によって、水分を吸着する吸着動作と水分が脱離する再生動作とが交互に行われる。
【００２０】
この調湿装置（5）には、調湿コントローラ（6）が設けられ、該調湿コントローラ（6）によって除湿運転又は加湿運転が選択して行われる。除湿運転又は加湿運転では、各吸着熱交換器を通過した空気の一方を室内へ供給し、他方を室外へ排出している。例えば、除湿運転の場合は、蒸発器となる吸着熱交換器を通過した空気が室内へ供給され、加湿運転の場合は、凝縮器となる吸着熱交換器を通過した空気が室内へ供給される。また、調湿コントローラ（6）には、伝送ライン（4）を介して後述する認知部（42）が接続され、該調湿コントローラ（6）から認知部（42）に対して調湿装置（5）の稼動信号、又は停止信号が送られるよう構成されている。
【００２１】
上記空気調和装置（10）は、図１及び図２に示すように、上記室内（2）の空気調和を行うものである。空気調和装置（10）は、室外（3）に設置される室外ユニット（11）と、該室外ユニット（11）に対して接続され、室内（2）に設置される複数台の室内ユニット（30）と、空調コントローラ（40）とを備えている。室内ユニット（30）と室外ユニット（11）は、ガス側連絡配管（19）と液側連絡配管（20）とにより接続されて冷媒回路（13）を構成している。この冷媒回路（13）は、本発明に係る冷媒回路を構成している。冷媒回路（13）は、室外熱交換器（16）、室内熱交換器（15）、圧縮機（14）、四路切換弁（17）及び室外膨張弁（18）が設けられた閉回路である。尚、室外膨張弁（18）は、本発明に係る膨張機構を構成している。この冷媒回路（13）は、充填された冷媒を循環させることによって、蒸気圧縮式冷凍サイクルを行うよう構成されている。尚、図２における冷媒回路（13）は、室外ユニット（11）に一台の室内ユニット（30）が接続された状態を例示するものである。
【００２２】
上記室外ユニット（11）は、箱体に形成された室外ケーシング（12）内に圧縮機（14）と、四路切換弁（17）と、室外熱交換器（16）と、電子膨張弁により構成された室外膨張弁（18）と、アキュムレータ（図示なし）とを備えている、室外熱交換器（16）の近傍には室外ファン（図示なし）が設けられている。
【００２３】
上記圧縮機（14）は、例えば全密閉型の高圧ドーム型のスクロール圧縮機であり、インバータの周波数制御により運転容量が可変に構成されている。圧縮機（14）は、その吐出側が吐出配管を介して四路切換弁（17）の第１ポート（P1）に接続される一方、吸入側が途中にアキュムレータ（図示なし）が設けられた吸入配管を介して四路切換弁（17）の第３ポート（P3）に接続されている。
【００２４】
四路切換弁（17）は、、第１ポート（P1）と第２ポート（P2）が連通して第３ポート（P3）と第４ポート（P4）が連通する第１状態（図２に実線で示す状態）と、第１ポート（P1）と第４ポート（P4）が連通して第２ポート（P2）と第３ポート（P3）が連通する第２状態（図２に破線示す状態）とに切り換え可能となっている。この四路切換弁（17）は、冷房運転時には第１状態に設定され、暖房運転時には第２状態に設定される。
【００２５】
上記室外熱交換器（16）は、クロスフィン型のフィン・アンド・チューブ熱交換器として構成されている。室外熱交換器（16）の近傍には、室外ファン（図示省略）が設けられている。室外熱交換器（16）では、室外空気と冷媒との間で熱交換が行われる。室外熱交換器（16）は、ガス側端が四路切換弁（17）の第２ポート（P2）に接続され、液側端が室外膨張弁（18）に接続されている。
【００２６】
また、上記室外ユニット（11）には、圧縮機（14）の吸入配管における冷媒圧力を検出する吸入圧力センサ（22）と、圧縮機（14）の吐出配管における冷媒圧力を検出する吐出圧力センサ（23）と、外気温度を検出する外気温度センサ（24）と、室外熱交換器（16）における冷媒温度を検出する室外熱交温度センサ（25）とが設けられている。この室外熱交温度センサ（25）は、冷房運転時には、冷媒の凝縮温度を、暖房運転時には冷媒の蒸発温度をそれぞれ検出するように構成されている。尚、他の各センサについては図示を省略している。
【００２７】
上記室内ユニット（30）は、箱体に形成された室内ケーシング（31）内に室内熱交換器（15）を備えている。
【００２８】
上記室内熱交換器（15）は、クロスフィン型のフィン・アンド・チューブ熱交換器として構成されている。室内熱交換器（15）の近傍には、室内ファン（図示省略）が設けられている。室内熱交換器（15）では、室内空気と冷媒との間で熱交換が行われる。室内熱交換器（15）は、ガス側端が四路切換弁（17）の第４ポート（P4）に接続され、液側端が室外膨張弁（18）に接続されている。
【００２９】
また、上記室内ユニット（30）には、室内ファンによって室内熱交換器（15）に吸い込まれる室内空気の吸込温度を検出する吸込温度センサ（32）と、室内ファンによって室内熱交換器（15）から吹き出される空気の吹出温度を検出する吹出温度センサ（33）と、室内熱交換器（15）における冷媒温度を検出する室内熱交温度センサ（34）とが設けられている。この室内熱交温度センサ（34）は、冷房運転時には、冷媒の蒸発温度を、暖房運転時には冷媒の凝縮温度をそれぞれ検出するように構成されている。尚、上記吸込温度センサ（32）で検出された室内空気の吸込温度は、室内空気の温度（室内温度）に相当するものである。
【００３０】
上記空調コントローラ（40）は、図３に示すように、空気調和装置（10）及び調湿装置（5）に接続され、該空気調和装置（10）の空調動作制御を行う制御手段を構成するものである。空調コントローラ（40）は、空調制御部（41）と、認知部（42）と、蒸発温度調節部（43）とで構成されている。
【００３１】
上記空調制御部（41）は、室内熱交換器（15）における冷媒の蒸発温度又は凝縮温度が、目標値（所定値）になるように圧縮機（14）の容量を制御する、いわゆる蒸発温度一定制御（又は、凝縮温度一定制御）を行うよう構成されている。空調制御部（41）は、上記各センサ及び冷媒回路（13）に接続されている。尚、上記目標値は、上記室内ユニット（30）及び室外ユニット（11）に設けられる各センサの検出値及び室内に設置されたリモコン（図示なし）の設定値に基づいて求められる。
【００３２】
上記認知部（42）は、調湿装置（5）の発停状態を認知する認知手段を構成している。具体的に、認知部（42）は、伝送ライン（4）を介して調湿装置（5）の調湿コントローラ（6）に接続されている。調湿装置（5）が、稼動又は停止すると、調湿コントローラ（6）から認知部（42）に対して稼動信号又は停止信号が送られる。そして、認知部（42）は、受信した稼動信号、又は停止信号によって調湿装置（5）の発停状態を認知する。認知部（42）では、調湿装置（5）の稼動を認知すると、蒸発温度調節部（43）に対して認知信号を送るよう構成されている。
【００３３】
上記蒸発温度調節部（43）は、上記認知部（42）による調湿装置（5）の発停状態に基づいて、室内熱交換器（15）における冷媒の蒸発温度を調節する蒸発温度調節手段を構成している。具体的に、蒸発温度調節部（43）は、上記認知部（42）及び空調制御部（41）と接続されている。蒸発温度調節部（43）は、認知部（42）から送られる認知信号を受け取ると、該認知信号に基づいて上記空調制御部（41）における室内熱交換器（15）の冷媒の蒸発温度を調節し、新たな冷媒蒸発温度の目標値を設定する。空調制御部（41）は、室内熱交換器（15）の冷媒蒸発温度が、新たに設定された室内熱交換器（15）の冷媒蒸発温度の目標値が、室内空気の温度（吸込空気温度）調節に必要な空調能力を確保していると、新たに設定された冷媒蒸発温度の目標値になるよう圧縮機（14）の容量を制御する。
【００３４】
−運転動作−
次に、上記空気調和装置（10）の空調運転動作について説明する。この空気調和装置（10）は、冷房運転及び暖房運転が切り換えて行われる。
【００３５】
暖房運転の場合、四路切換弁（17）が、第２状態に設定されると共に、室外膨張弁（18）の開度が適宜設定される。この状態において、圧縮機（14）から吐出されたガス冷媒は、室内熱交換器（15）で凝縮して液冷媒となり、室外膨張弁（18）で減圧されてから室外熱交換器（16）で蒸発し、アキュムレータ（図示なし）を介して圧縮機（14）に戻るサイクルが行われる。
【００３６】
冷房運転の場合、四路切換弁（17）が第１状態に設定されると共に、室外膨張弁（18）の開度が適宜設定される。この状態において、圧縮機（14）から吐出されたガス冷媒は、室外熱交換器（16）で凝縮して液冷媒となり、室外膨張弁（18）で減圧されてから室内熱交換器（15）で蒸発し、アキュムレータ（図示なし）を介して圧縮機（14）に戻るサイクルが行われる。
【００３７】
次に、冷房運転時における調湿装置（5）との連動動作について説明する。
【００３８】
まず、空気調和装置（10）の運転動作が開始されると、空調制御部（41）で温度データの更新が行われる。この温度データは、吸込温度センサ（32）、室内熱交温度センサ（34）及びリモコンから入力される各検出値、すなわち室内空気の吸込温度、冷媒の蒸発温度及び室内設定温度のデータである。そして、空調制御部（41）は、室内熱交換器（15）の冷媒蒸発温度が、上記温度データに基づく冷媒蒸発温度の目標値になるように圧縮機（14）の容量を制御する。具体的には、吸入圧力センサ（22）の吸入圧力が冷媒蒸発温度の目標値に相当する圧力値になるように圧縮機（14）が容量制御される。この状態では、室内（2）の温度が徐々に低下し、それに伴って圧縮機（14）の能力（即ち、圧縮機容量）も減少される。そして、このとき、室内熱交換器（15）では、室内空気が室内熱交換器（15）を通過する際に、室内空気が冷却されるため、室内空気に含まれる水分が凝結して水滴になる。これにより、室内空気は、除湿されて室内へ供給される。
【００３９】
ここで、調湿装置（5）が室内空気の除湿運転を開始すると、調湿コントローラ（6）は、空調コントローラ（40）の認知部（42）へ稼動信号を送る。認知部（42）では、稼動信号を受信して、調湿装置（5）が除湿運転中であることを認知する。そして、認知部（42）は、蒸発温度調節部（43）に対して認知信号を送る。蒸発温度調節部（43）は、認知信号を受け取ると、空調制御部（41）の冷媒蒸発温度の目標値を高く設定する（例えば、元の冷媒蒸発温度プラス５℃に設定）。空調制御部（41）は、新しく設定された室内熱交換器（15）の冷媒蒸発温度の目標値が、室内空気の温度（吸込空気温度）調節に必要な空調能力を満たしていれば、上記新しく設定された冷媒蒸発温度の目標値になるように圧縮機（14）の容量を制御する。
【００４０】
−実施形態の効果−
上記実施形態によれば、調湿装置（5）の発停状態を認知する認知部（42）を設けたため、空気調和装置（10）が、調湿運転（調湿動作）を認知することができる。また、上記調湿装置（5）の調湿運転の認知に基づいて室内熱交換器（15）の冷媒の蒸発温度を制御するようにしたため、調湿装置（5）による調湿動作に応じた冷媒の蒸発温度で空気調和装置（10）を運転することができる。これにより、室内熱交換器（15）の冷媒の蒸発温度の設定範囲を大きくすることができるため、該蒸発温度を空気調和装置（10）の運転効率を向上する温度に設定することができる。この結果、室内空気は適切に調湿されると共に、空気調和装置（10）の運転効率を高めることができる。
【００４１】
また、上記蒸発温度調節部（43）による冷媒蒸発温度の調節を、空気調和装置（10）の室内（2）への空気調和に必要な空調能力範囲内で行うようにしたため、室内（2）への空気調和に必要な空調能力を確保しつつ、冷媒蒸発温度の調節を行うことができる。これにより、蒸発温度調節部（43）による冷媒蒸発温度の調節に伴って室内（2）への空気調和装置（10）の空調能力が不足するのを確実に防止することができる。この結果、室内空気は、調湿装置（5）で適切に調湿されると共に、空気調和装置（10）によって室内（2）の空気調和を確実に行うことができる。
【００４２】
さらに、調湿装置（5）が除湿運転状態であると、蒸発温度調節手段（43）が室内熱交換器（15）の冷媒の蒸発温度の設定値を高くするようにした。このため、調湿装置（5）による除湿運転に対応してつまり、調湿装置（5）が調湿動作を行っている場合は、空気調和装置（10）で除湿能力を下げることが可能になる。
【００４３】
〈その他の実施形態〉
本発明は、上記実施形態について、以下のような構成としてもよい。
【００４４】
上記実施形態では、調湿装置（5）が除湿運転を行う場合について本発明を適用したが、本発明は、調湿装置（5）が加湿運転を行う場合についても適用することができる。また、上記実施形態では、複数台の室内ユニット（30）に対して一台の調湿装置（5）を接続して調湿運転を行うようにしたが、本発明は、複数台の調湿装置（5）に接続されて行われる調湿運転に対しても適用することができる。
【００４５】
尚、以上の実施形態は、本質的に好ましい例示であって、本発明、その適用物、あるいはその用途の範囲を制限することを意図するものではない。
【産業上の利用可能性】
【００４６】
以上説明したように、本発明は、室内熱交換器の冷媒の蒸発温度制御について有用である。
【図面の簡単な説明】
【００４７】
【図１】実施形態に係る空気調和装置及び調湿装置の構成を示す構成図である。
【図２】実施形態に係る空気調和装置の冷媒回路を示す配管系統図である。
【図３】実施形態に係る空調コントローラ及び調湿コントローラの構成を示すブロック図である。
【符号の説明】
【００４８】
２            室内
５            調湿装置
１４          圧縮機
１５          室内熱交換器
１６          室外熱交換器
１８          室外膨張弁
４０          空調制御部
４２          認知部
４３          蒸発温度調節部
【図１】
2010085032.tif 000003
【図２】
2010085032.tif 000004
【図３】
2010085032.tif 000005